(57)【要約】利便性または信頼性に優れた新規な表示パネルを提供する。第１の表示領域と、第２の表示領域と、第１の余白領域と、第２の余白領域と、を有する表示パネルであって、第２の表示領域は第１の表示領域と連続するように配置され、第１の余白領域は第１の表示領域に隣接し、第２の余白領域は第２の表示領域に隣接し、第２の余白領域は第１の余白領域と対向する。まあ、第１の表示領域は画素を備え、画素は画素回路および表示素子を備え、表示素子は画素回路と電気的に接続され、表示素子は入射光を透過または散乱する機能を備える。
2020039292.tif 000002
【特許請求の範囲】
【請求項１】
第１の表示領域と、
第２の表示領域と、
第１の余白領域と、
第２の余白領域と、を有し、
前記第２の表示領域は、前記第１の表示領域と連続するように配置され、
前記第１の余白領域は、前記第１の表示領域に隣接し、
前記第２の余白領域は、前記第２の表示領域に隣接し、
前記第２の余白領域は、前記第１の余白領域と対向し、
前記第１の表示領域は、画素を備え、
前記画素は、画素回路および表示素子を備え、
前記表示素子は、前記画素回路と電気的に接続され、
前記表示素子は、入射光を透過または散乱する機能を備える、表示パネル。
【請求項２】
前記表示素子は、第１の電極、第２の電極、液晶材料を含む層、第１の配向膜、および第２の配向膜、を備え、
前記第１の配向膜は、前記第１の電極および前記液晶材料を含む層の間に挟まれる領域を備え、
前記第２の配向膜は、前記第２の電極および前記液晶材料を含む層の間に挟まれる領域を備え、
前記第２の電極は、前記第１の電極との間に、前記液晶材料を含む層を横切る電界を形成するように配置され、
前記液晶材料を含む層は、前記電界が第１の状態において、前記入射光を第１の散乱強度で散乱し、
前記液晶材料を含む層は、前記電界が前記第１の状態より大きい第２の状態において、前記入射光を第２の散乱強度で散乱し、
前記第２の散乱強度は、前記第１の散乱強度より大きく、
前記液晶材料を含む層は、液晶材料および高分子材料を含み、
前記液晶材料を含む層は、前記高分子材料で安定化され、
前記高分子材料は、多官能モノマーおよび単官能モノマーの共重合体であり、
前記多官能モノマーは、安息香酸フェニル骨格を備え、
前記単官能モノマーは、シクロヘキシルベンゼン骨格を備える、請求項１に記載の表示パネル。
【請求項３】
前記第２の散乱強度は、前記第１の散乱強度の１０倍以上である、請求項１または請求項２に記載の表示パネル。
【請求項４】
前記第１の表示領域は、一群の画素、他の一群の画素、走査線、および信号線を備え、
前記一群の画素は、前記画素を含み、
前記一群の画素は、行方向に配設され、
前記他の一群の画素は、前記画素を含み、
前記他の一群の画素は、行方向と交差する列方向に配設され、
前記走査線は、前記一群の画素と電気的に接続され、
前記信号線は、前記他の一群の画素と電気的に接続される、請求項１乃至請求項３のいずれか一に記載の表示パネル。
【請求項５】
請求項１乃至請求項４のいずれか一に記載の表示パネルと、
制御部と、を有し、
前記制御部は、画像情報および制御情報を供給され、
前記制御部は、前記画像情報に基づいて情報を生成し、
前記制御部は、前記制御情報にもとづいて制御信号を生成し、
前記制御部は、前記情報および前記制御信号を供給し、
前記表示パネルは、前記情報および前記制御信号を供給され、
前記表示パネルは、駆動回路を備え、
前記駆動回路は、前記制御信号に基づいて動作し、
前記画素は、前記情報に基づいて表示する、表示装置。
【発明の詳細な説明】
【技術分野】
【０００１】本発明の一態様は、表示パネル、表示装置または半導体装置に関する。【０００２】なお、本発明の一態様は、上記の技術分野に限定されない。本明細書等で開示する発明の一態様の技術分野は、物、方法、または、製造方法に関するものである。または、本発明の一態様は、プロセス、マシン、マニュファクチャ、または、組成物（コンポジション・オブ・マター）に関するものである。そのため、より具体的に本明細書で開示する本発明の一態様の技術分野としては、半導体装置、表示装置、発光装置、蓄電装置、記憶装置、それらの駆動方法、または、それらの製造方法、を一例として挙げることができる。
【背景技術】
【０００３】光透過性を有する第１基板と、前記第１基板と対向し光透過性を有する第２基板と、前記第１基板と前記第２基板との間に配置された光変調層と、画像を表示する表示領域と法線方向で対向する位置の外側から前記光変調層を照明する光源ユニットと、前記第１基板に配置され、それぞれレッド、グリーン、またはブルーの互いに異なる色の第１乃至第３カラーフィルタと、前記第１乃至第３カラーフィルタにそれぞれ対向する第１乃至第３電極と、を備え、前記光変調層は、前記第１乃至第３電極のそれぞれによって生じる電場に応じて、前記第１乃至第３カラーフィルタのそれぞれに対向する領域の光散乱性を変調可能である、表示装置が知られている（特許文献１）。
【先行技術文献】
【特許文献】
【０００４】
【特許文献１】米国特許出願公開第２０１８／００２４４０３号明細書
【発明の概要】
【発明が解決しようとする課題】
【０００５】本発明の一態様は、利便性または信頼性に優れた新規な表示パネルを提供することを課題の一とする。または、利便性または信頼性に優れた新規な表示装置を提供することを課題の一とする。または、新規な表示パネル、新規な表示装置または新規な半導体装置を提供することを課題の一とする。【０００６】なお、これらの課題の記載は、他の課題の存在を妨げるものではない。なお、本発明の一態様は、これらの課題の全てを解決する必要はないものとする。なお、これら以外の課題は、明細書、図面、請求項などの記載から、自ずと明らかとなるものであり、明細書、図面、請求項などの記載から、これら以外の課題を抽出することが可能である。
【課題を解決するための手段】
【０００７】（１）本発明の一態様は、第１の表示領域と、第２の表示領域と、第１の余白領域と、第２の余白領域と、を有する表示パネルである。【０００８】第２の表示領域は、第１の表示領域と連続するように配置される。【０００９】第１の余白領域は第１の表示領域に隣接する。【００１０】第２の余白領域は第２の表示領域に隣接し、第２の余白領域は第１の余白領域と対向する。【００１１】第１の表示領域は画素を備え、画素は画素回路および表示素子を備える。【００１２】表示素子は画素回路と電気的に接続され、表示素子は入射光を透過または散乱する機能を備える。【００１３】これにより、第１の表示領域および第２の表示領域に連続する画像を表示することができる。または、入射光を透過する状態と、入射光を散乱する状態を利用して、表示領域に透光性を付与することができる。その結果、利便性または信頼性に優れた新規な表示パネルを提供することができる。【００１４】（２）本発明の一態様は、上記表示素子が、第１の電極と、第２の電極と、液晶材料を含む層と、第１の配向膜と、第２の配向膜と、を備える表示素子である。【００１５】第１の配向膜は、第１の電極および液晶材料を含む層の間に挟まれる領域を備え、第２の配向膜は、第２の電極および液晶材料を含む層の間に挟まれる領域を備える。【００１６】第２の電極は第１の電極との間に、液晶材料を含む層を横切る電界を形成するように配置される。【００１７】液晶材料を含む層は電界が第１の状態において、入射光を第１の散乱強度で散乱する。また、液晶材料を含む層は電界が第１の状態より大きい第２の状態において、入射光を第２の散乱強度で散乱する。なお、第２の散乱強度は、第１の散乱強度より大きい。【００１８】液晶材料を含む層は液晶材料および高分子材料を含み、液晶材料を含む層は高分子で安定化される。【００１９】高分子材料は多官能モノマーおよび単官能モノマーの共重合体であり、多官能モノマーは安息香酸フェニル骨格を備え、単官能モノマーはシクロヘキシルベンゼン骨格を備える。【００２０】これにより、第１の電界強度より大きい第２の電界強度において、入射光をより強く散乱することができる。または、入射光を透過しやすい状態において消費する電力を少なくできる。その結果、利便性または信頼性に優れた新規な表示パネルを提供することができる。【００２１】（３）また、本発明の一態様は、第２の散乱強度が第１の散乱強度の１０倍以上である上記の表示パネルである。【００２２】これにより、入射光を透過する状態と、入射光を散乱する状態のコントラストを大きくすることができる。その結果、利便性または信頼性に優れた新規な液晶素子を提供することができる。【００２３】（４）また、本発明の一態様は、表示領域を有する表示パネルである。【００２４】表示領域は、一群の画素、他の一群の画素、走査線および信号線を備える。【００２５】一群の画素は、画素を含み、行方向に配設される。【００２６】他の一群の画素は、画素を含み、行方向と交差する列方向に配設される。【００２７】走査線は一群の画素と電気的に接続される。また、信号線は、他の一群の画素と電気的に接続される。【００２８】これにより、複数の画素に画像情報を供給することができる。または、画像情報を表示することができる。その結果、利便性または信頼性に優れた新規な表示パネルを提供することができる。【００２９】（５）また、本発明の一態様は、上記の表示パネルと、制御部と、を有する表示装置である。【００３０】制御部は画像情報および制御情報が供給される。制御部は画像情報に基づいて情報を生成し、制御部は制御情報にもとづいて制御信号を生成する。制御部は情報および制御信号を供給する。【００３１】表示パネルは情報および制御信号が供給される。表示パネルは駆動回路を備え、駆動回路は制御信号に基づいて動作する。また、画素は情報に基づいて表示する。【００３２】これにより、表示素子を用いて画像情報を表示することができる。その結果、利便性または信頼性に優れた新規な表示装置を提供することができる。【００３３】本明細書に添付した図面では、構成要素を機能ごとに分類し、互いに独立したブロックとしてブロック図を示しているが、実際の構成要素は機能ごとに完全に切り分けることが難しく、一つの構成要素が複数の機能に係わることもあり得る。【００３４】本明細書においてトランジスタが有するソースとドレインは、トランジスタの極性及び各端子に与えられる電位の高低によって、その呼び方が入れ替わる。一般的に、ｎチャネル型トランジスタでは、低い電位が与えられる端子がソースと呼ばれ、高い電位が与えられる端子がドレインと呼ばれる。また、ｐチャネル型トランジスタでは、低い電位が与えられる端子がドレインと呼ばれ、高い電位が与えられる端子がソースと呼ばれる。本明細書では、便宜上、ソースとドレインとが固定されているものと仮定して、トランジスタの接続関係を説明する場合があるが、実際には上記電位の関係に従ってソースとドレインの呼び方が入れ替わる。【００３５】本明細書においてトランジスタのソースとは、活性層として機能する半導体膜の一部であるソース領域、或いは上記半導体膜に接続されたソース電極を意味する。同様に、トランジスタのドレインとは、上記半導体膜の一部であるドレイン領域、或いは上記半導体膜に接続されたドレイン電極を意味する。また、ゲートはゲート電極を意味する。【００３６】本明細書においてトランジスタが直列に接続されている状態とは、例えば、第１のトランジスタのソースまたはドレインの一方のみが、第２のトランジスタのソースまたはドレインの一方のみに接続されている状態を意味する。また、トランジスタが並列に接続されている状態とは、第１のトランジスタのソースまたはドレインの一方が第２のトランジスタのソースまたはドレインの一方に接続され、第１のトランジスタのソースまたはドレインの他方が第２のトランジスタのソースまたはドレインの他方に接続されている状態を意味する。【００３７】本明細書において接続とは、電気的な接続を意味しており、電流、電圧または電位が、供給可能、或いは伝送可能な状態に相当する。従って、接続している状態とは、直接接続している状態を必ずしも指すわけではなく、電流、電圧または電位が、供給可能、或いは伝送可能であるように、配線、抵抗、ダイオード、トランジスタなどの回路素子を介して間接的に接続している状態も、その範疇に含む。【００３８】本明細書において回路図上は独立している構成要素どうしが接続されている場合であっても、実際には、例えば配線の一部が電極として機能する場合など、一の導電膜が、複数の構成要素の機能を併せ持っている場合もある。本明細書において接続とは、このような、一の導電膜が、複数の構成要素の機能を併せ持っている場合も、その範疇に含める。【００３９】また、本明細書中において、トランジスタの第１の電極または第２の電極の一方がソース電極を、他方がドレイン電極を指す。
【発明の効果】
【００４０】本発明の一態様によれば、利便性または信頼性に優れた新規な表示パネルを提供することができる。または、利便性または信頼性に優れた新規な表示装置を提供することができる。または、新規な液晶素子、新規な表示パネル、新規な表示装置または、新規な半導体装置を提供することができる。【００４１】なお、これらの効果の記載は、他の効果の存在を妨げるものではない。なお、本発明の一態様は、必ずしも、これらの効果の全てを有する必要はない。なお、これら以外の効果は、明細書、図面、請求項などの記載から、自ずと明らかとなるものであり、明細書、図面、請求項などの記載から、これら以外の効果を抽出することが可能である。
【図面の簡単な説明】
【００４２】図１Ａ乃至図１Ｄは、実施の形態に係る表示パネルの構成を説明する図である。
図２Ａおよび図２Ｂは、実施の形態に係る液晶素子の構成を説明する図である。
図３Ａおよび図３Ｂは、実施の形態に係る表示パネルの構成を説明する図である。
図４Ａ乃至図４Ｃは、実施の形態に係る表示パネルの構成を説明する断面図および回路図である。
図５Ａおよび図５Ｂは、実施の形態に係る表示パネルの構成を説明する断面図である。
図６Ａおよび図６Ｂは、実施の形態に係る表示パネルの構成を説明する断面図である。
図７は、実施の形態に係る表示パネルの構成を説明する図である。
図８Ａおよび図８Ｂ１乃至図８Ｂ３は、実施の形態に係る表示装置の構成を説明する図である。
図９Ａ乃至図９Ｄは、実施の形態に係る情報処理装置の構成を説明する図である。
図１０Ａおよび図１０Ｂは、実施の形態に係る情報処理装置の構成を説明する図である。
【発明を実施するための形態】
【００４３】本発明の一態様は、第１の表示領域と、第２の表示領域と、第１の余白領域と、第２の余白領域と、を有する表示パネルである。第２の表示領域は第１の表示領域と連続するように配置され、第１の余白領域は第１の表示領域に隣接し、第２の余白領域は第２の表示領域に隣接し、第２の余白領域は第１の余白領域と対向する。また、第１の表示領域は画素を備え、画素は画素回路および液晶素子を備え、液晶素子は画素回路と電気的に接続され、液晶素子は入射光を透過または散乱する機能を備える。
【００４４】これにより、第１の表示領域および第２の表示領域に連続する画像を表示することができる。または、入射光を透過する状態と、入射光を散乱する状態を利用して、表示領域に透光性を付与することができる。その結果、利便性または信頼性に優れた新規な表示パネルを提供することができる。
【００４５】実施の形態について、図面を用いて詳細に説明する。但し、本発明は以下の説明に限定されず、本発明の趣旨及びその範囲から逸脱することなくその形態及び詳細を様々に変更し得ることは当業者であれば容易に理解される。従って、本発明は以下に示す実施の形態の記載内容に限定して解釈されるものではない。なお、以下に説明する発明の構成において、同一部分又は同様な機能を有する部分には同一の符号を異なる図面間で共通して用い、その繰り返しの説明は省略する。
【００４６】（実施の形態１）
本実施の形態では、本発明の一態様の表示パネルの構成について、図１を参照しながら説明する。
【００４７】図１Ａは本発明の一態様の表示パネルの構成を説明する上面図であり、図１Ｂは図１Ａの切断線Ｘ１１−Ｘ１２における断面図であり、図１Ｃは図１Ｂの一部であり、図１Ｄは図１Ｂの他の一部である。
【００４８】なお、本明細書において、１以上の整数を値にとる変数を符号に用いる場合がある。例えば、１以上の整数の値をとる変数ｐを含む（ｐ）を、最大ｐ個の構成要素のいずれかを特定する符号の一部に用いる場合がある。また、例えば、１以上の整数の値をとる変数ｍおよび変数ｎを含む（ｍ，ｎ）を、最大ｍ×ｎ個の構成要素のいずれかを特定する符号の一部に用いる場合がある。
【００４９】＜表示パネル７００の構成例＞
本実施の形態で説明する表示パネル７００は、表示領域２３１Ａと、表示領域２３１Ｂと、余白領域２３９Ａと、余白領域２３９Ｂと、を有する（図１Ａおよび図１Ｂ参照）。
【００５０】表示領域２３１Ｂは表示領域２３１Ａと連続するように配置される。
【００５１】余白領域２３９Ａは表示領域２３１Ａに隣接する（図１Ｃ参照）。
【００５２】余白領域２３９Ｂは表示領域２３１Ｂに隣接し、余白領域２３９Ｂは余白領域２３９Ａと対向する（図１Ｂおよび図１Ｄ参照）。
【００５３】表示領域２３１Ａは画素７０２（ｉ，ｊ）を備え（図１Ａ参照）、画素７０２（ｉ，ｊ）は画素回路５３０（ｉ，ｊ）および表示素子７５０（ｉ，ｊ）を備える（図４Ａ参照）。
【００５４】表示素子７５０（ｉ，ｊ）は画素回路５３０（ｉ，ｊ）と電気的に接続され、表示素子７５０（ｉ，ｊ）は入射光を透過または散乱する機能を備える（図４Ａおよび図４Ｃ参照）。なお、例えば、光源ＳＬなどを表示パネルに用いることができる。
【００５５】これにより、第１の表示領域および第２の表示領域に連続する画像を表示することができる。または、入射光を透過する状態と、入射光を散乱する状態を利用して、表示領域に透光性を付与することができる。その結果、利便性または信頼性に優れた新規な表示パネルを提供することができる。
【００５６】《光源ＳＬ》
ＬＥＤなどを光源ＳＬに用いることができる。例えば、青色のＬＥＤ、緑色のＬＥＤおよび赤色のＬＥＤを光源ＳＬに用いることができる。具体的には、青色のＬＥＤ、緑色のＬＥＤおよび赤色のＬＥＤを同時に点灯して白色の光を照射する光源を光源ＳＬに用いることができる。または、青色のＬＥＤ、緑色のＬＥＤおよび赤色のＬＥＤのそれぞれを順番に点灯して白色の光を照射する光源を光源ＳＬに用いることができる。
【００５７】なお、画像情報の青色の成分を表示する際に、青色のＬＥＤを点灯し、画像情報の緑色の成分を表示する際に、緑色のＬＥＤを点灯し、画像情報の赤色の成分を表示する際に、赤色のＬＥＤを点灯する光源を、光源ＳＬに用いることができる。言い換えると、フィールド・シーケンシャル方式を用いて画像情報を表示することができる。
【００５８】なお、本実施の形態は、本明細書で示す他の実施の形態と適宜組み合わせることができる。
【００５９】（実施の形態２）
本実施の形態では、本発明の一態様の表示パネルに用いることができる液晶素子の構成について、図２を参照しながら説明する。
【００６０】図２Ａは本発明の一態様の表示パネルに用いることができる液晶素子の構成を説明する断面図であり、図２Ｂは本発明の一態様の表示パネルに用いることができる液晶素子の構成を説明する上面図である。
【００６１】＜液晶素子の構成例１．＞
本実施の形態で説明する液晶素子７５は、電極５１と、電極５２と、液晶材料を含む層５３と、を有する。また、配向膜ＡＦ１と、配向膜ＡＦ２と、を有する（図２Ａ参照）。
【００６２】《配向膜ＡＦ１および配向膜ＡＦ２の構成例》
配向膜ＡＦ１は、電極５１および液晶材料を含む層５３の間に挟まれる領域を備える。また、配向膜ＡＦ２は、電極５２および液晶材料を含む層５３の間に挟まれる領域を備える。
【００６３】およそ水平方向に液晶を配向する配向膜を配向膜ＡＦ１および配向膜ＡＦ２に用いることができる。例えば、３°から５°程度の角度を、プレチルト角にすることができる。
【００６４】なお、配向膜ＡＦ２は、配向膜ＡＦ１に対してアンチパラレルになるようにラビング処理される。また、配向膜ＡＦ１または配向膜ＡＦ２の厚さを、例えば、７０ｎｍにすることができる。
【００６５】《電極５１および電極５２の構成例》
電極５２は、電極５１との間に、液晶材料を含む層５３を横切る電界を形成するように配置される。
【００６６】《液晶材料を含む層５３の構成例１．》
液晶材料を含む層５３は、電界が第１の状態において、入射光Ｉ０を第１の散乱強度で散乱する。
【００６７】また、液晶材料を含む層５３は、電界が第１の状態より大きい第２の状態において、入射光Ｉ０を第２の散乱強度で散乱する。なお、第２の散乱強度は、第１の散乱強度より大きい。
【００６８】なお、液晶材料を含む層５３の厚さを、例えば、４μｍにすることができる。
【００６９】《液晶材料を含む層５３の構成例２．》
液晶材料を含む層５３は、液晶材料および高分子材料を含み、液晶材料を含む層５３は、高分子で安定化される。
【００７０】《液晶材料の構成例》
例えば、メルク社製液晶材料ＭＤＡ−００−３５０６を、液晶材料を含む層５３に用いることができる。
【００７１】《高分子材料の構成例》
高分子材料は、多官能モノマーおよび単官能モノマーの共重合体である。
【００７２】《多官能モノマーの構成例》
多官能モノマーは、安息香酸フェニル骨格を備える。例えば、安息香酸フェニル骨格を有するジアクリレートを多官能モノマーに用いることができる。具体的には、下記の構造式（１）で表す材料を、多官能モノマーに用いることができる。
【００７３】
【化１】
2020039292.tif 000003
【００７４】《単官能モノマーの構成例》
単官能モノマーは、シクロヘキシルベンゼン骨格を備える。例えば、シクロヘキシル骨格を有するアクリレートを単官能モノマーに用いることができる。具体的には、下記の構造式（２）乃至構造式（４）で表す材料を、単官能モノマーに用いることができる。
【００７５】
【化２】
2020039292.tif 000004
【００７６】
【化３】
2020039292.tif 000005
【００７７】
【化４】
2020039292.tif 000006
【００７８】これにより、第１の電界強度より大きい第２の電界強度において、入射光をより強く散乱することができる。または、入射光を透過しやすい状態において消費する電力を少なくできる。その結果、利便性または信頼性に優れた新規な液晶素子を提供することができる。
【００７９】なお、安息香酸フェニルは構造式（５）で表す構造を有し、シクロヘキシルベンゼンは構造式（６）で表す構造を有する。また、いずれも置換基を有していてもよい。
【００８０】
【化５】
2020039292.tif 000007
【００８１】
【化６】
2020039292.tif 000008
【００８２】＜液晶素子の構成例２．＞
また、本実施の形態で説明する液晶素子は、第２の散乱強度が、第１の散乱強度の１０倍以上である。
【００８３】これにより、入射光を透過する状態と、入射光を散乱する状態のコントラストを大きくすることができる。その結果、利便性または信頼性に優れた新規な液晶素子を提供することができる。
【００８４】なお、本実施の形態は、本明細書で示す他の実施の形態と適宜組み合わせることができる。
【００８５】（実施の形態３）
本実施の形態では、本発明の一態様の表示パネルの構成について、図３および図４を参照しながら説明する。
【００８６】図３は本発明の一態様の表示パネルの構成を説明する図である。図３Ａは本発明の一態様の表示パネルの上面図であり、図３Ｂは図３Ａの一部である。
【００８７】図４は本発明の一態様の表示パネルの構成を説明する図である。図４Ａは図３Ａの切断線Ｘ１−Ｘ２、Ｘ３−Ｘ４、Ｘ９−Ｘ１０における断面図であり、図４Ｂおよび図４Ｃは画素回路５３０（ｉ，ｊ）を説明する回路図である。
【００８８】図５は本発明の一態様の表示パネルの構成を説明する図である。図５Ａは図３Ａの画素７０２（ｉ，ｊ）の断面図であり、図５Ｂは図５Ａの一部を説明する断面図である。
【００８９】＜表示パネル７００の構成例１．＞
本実施の形態で説明する表示パネル７００は、表示領域２３１と、機能層５２０と、を有する（図３Ａおよび図４Ａ参照）。
【００９０】《表示領域２３１の構成例１．》
表示領域２３１は、画素７０２（ｉ，ｊ）を有する。画素７０２（ｉ，ｊ）は、表示素子７５０（ｉ，ｊ）および画素回路５３０（ｉ，ｊ）を備える。
【００９１】《画素７０２（ｉ，ｊ）の構成例》
例えば、実施の形態２に記載の液晶素子７５を表示素子７５０（ｉ，ｊ）に用いることができる。表示素子７５０（ｉ，ｊ）は、画素回路５３０（ｉ，ｊ）と電気的に接続される。
【００９２】《機能層５２０の構成例１．》
機能層５２０は、画素回路５３０（ｉ，ｊ）を含む。また、機能層５２０は、開口部５９１Ａを備える。例えば、開口部５９１Ａにおいて、画素回路５３０（ｉ，ｊ）は表示素子７５０（ｉ，ｊ）と電気的に接続される（図４Ａ参照）。
【００９３】《画素回路５３０（ｉ，ｊ）の構成例１．》
画素回路５３０（ｉ，ｊ）は、走査線Ｇ１（ｉ）と電気的に接続される（図４Ｂ参照）。
【００９４】例えば、スイッチ、トランジスタ、ダイオード、抵抗素子、インダクタまたは容量素子等を画素回路５３０（ｉ，ｊ）に用いることができる。具体的には、トランジスタをスイッチに用いることができる。
【００９５】具体的には、画素回路５３０（ｉ，ｊ）は、容量素子Ｃ１１およびスイッチＳＷ１を含む。
【００９６】《容量素子Ｃ１１の構成例》
容量素子Ｃ１１は、スイッチＳＷ１と電気的に接続される第１の電極と、配線ＣＳＣＯＭと電気的に接続される第２の電極と、を有する。
【００９７】《スイッチＳＷ１の構成例》
例えば、トランジスタをスイッチＳＷ１に用いることができる。
【００９８】例えば、ボトムゲート型のトランジスタまたはトップゲート型のトランジスタなどを、画素回路５３０（ｉ，ｊ）に用いることができる。
【００９９】トランジスタは、半導体膜５０８、導電膜５０４、導電膜５１２Ａおよび導電膜５１２Ｂを備える（図５Ｂ参照）。
【０１００】半導体膜５０８は、導電膜５１２Ｂと電気的に接続される領域５０８Ａ、導電膜５１２Ａと電気的に接続される領域５０８Ｂを備える。半導体膜５０８は、領域５０８Ａおよび領域５０８Ｂの間に領域５０８Ｃを備える。
【０１０１】導電膜５０４は領域５０８Ｃと重なる領域を備え、導電膜５０４はゲート電極の機能を備える。
【０１０２】絶縁膜５０６は、半導体膜５０８および導電膜５０４の間に挟まれる領域を備える。絶縁膜５０６はゲート絶縁膜の機能を備える。
【０１０３】導電膜５１２Ａはソース電極の機能またはドレイン電極の機能の一方を備え、導電膜５１２Ｂはソース電極の機能またはドレイン電極の機能の他方を備える。
【０１０４】また、導電膜５２４をトランジスタに用いることができる。導電膜５２４は、導電膜５０４との間に半導体膜５０８を挟む領域を備える。導電膜５２４は、ゲート電極の機能を備える。導電膜５２４を、例えば、導電膜５０４と電気的に接続することができる。
【０１０５】なお、画素回路のトランジスタに用いる半導体膜を形成する工程において、駆動回路のトランジスタに用いる半導体膜を形成することができる。
【０１０６】《半導体膜５０８の構成例１．》
例えば、１４族の元素を含む半導体を半導体膜５０８に用いることができる。具体的には、シリコンを含む半導体を半導体膜５０８に用いることができる。
【０１０７】［水素化アモルファスシリコン］
例えば、水素化アモルファスシリコンを半導体膜５０８に用いることができる。または、微結晶シリコンなどを半導体膜５０８に用いることができる。これにより、例えば、ポリシリコンを半導体膜５０８に用いる表示パネルより、表示ムラが少ない表示パネルを提供することができる。または、表示パネルの大型化が容易である。
【０１０８】［ポリシリコン］
例えば、ポリシリコンを半導体膜５０８に用いることができる。これにより、例えば、水素化アモルファスシリコンを半導体膜５０８に用いるトランジスタより、トランジスタの電界効果移動度を高くすることができる。または、例えば、水素化アモルファスシリコンを半導体膜５０８に用いるトランジスタより、駆動能力を高めることができる。または、例えば、水素化アモルファスシリコンを半導体膜５０８に用いるトランジスタより、画素の開口率を向上することができる。
【０１０９】または、例えば、水素化アモルファスシリコンを半導体膜５０８に用いるトランジスタより、トランジスタの信頼性を高めることができる。
【０１１０】または、例えば、単結晶シリコンを半導体膜５０８に用いるトランジスタより、トランジスタの作製に要する温度を低くすることができる。
【０１１１】または、駆動回路のトランジスタに用いる半導体膜を、画素回路のトランジスタに用いる半導体膜と同一の工程で形成することができる。または、画素回路を形成する基板と同一の基板上に駆動回路を形成することができる。または、電子機器を構成する部品数を低減することができる。
【０１１２】［単結晶シリコン］
例えば、単結晶シリコンを半導体膜５０８に用いることができる。これにより、例えば、水素化アモルファスシリコンを半導体膜５０８に用いる表示パネルより、精細度を高めることができる。または、例えば、ポリシリコンを半導体膜５０８に用いる表示パネルより、表示ムラが少ない表示パネルを提供することができる。または、例えば、スマートグラスまたはヘッドマウントディスプレイを提供することができる。
【０１１３】《半導体膜５０８の構成例２．》
例えば、金属酸化物を半導体膜５０８に用いることができる。これにより、アモルファスシリコンを半導体膜に用いたトランジスタを利用する画素回路と比較して、画素回路が画像信号を保持することができる時間を長くすることができる。具体的には、フリッカーの発生を抑制しながら、選択信号を３０Ｈｚ未満、好ましくは１Ｈｚ未満、より好ましくは一分に一回未満の頻度で供給することができる。その結果、情報処理装置の使用者に蓄積する疲労を低減することができる。また、駆動に伴う消費電力を低減することができる。
【０１１４】例えば、酸化物半導体を用いるトランジスタを利用することができる。具体的には、インジウムを含む酸化物半導体またはインジウムとガリウムと亜鉛を含む酸化物半導体を半導体膜に用いることができる。
【０１１５】一例を挙げれば、オフ状態におけるリーク電流が、半導体膜にアモルファスシリコンを用いたトランジスタより小さいトランジスタを用いることができる。具体的には、酸化物半導体を半導体膜に用いたトランジスタを用いることができる。
【０１１６】例えば、インジウム、ガリウムおよび亜鉛を含む厚さ２５ｎｍの膜を、半導体膜５０８に用いることができる。
【０１１７】例えば、タンタルおよび窒素を含む厚さ１０ｎｍの膜と、銅を含む厚さ３００ｎｍの膜と、を積層した導電膜を導電膜５０４に用いることができる。なお、銅を含む膜は、絶縁膜５０６との間に、タンタルおよび窒素を含む膜を挟む領域を備える。
【０１１８】例えば、シリコンおよび窒素を含む厚さ４００ｎｍの膜と、シリコン、酸素および窒素を含む厚さ２００ｎｍの膜と、を積層した積層膜を、絶縁膜５０６に用いることができる。なお、シリコンおよび窒素を含む膜は、半導体膜５０８との間に、シリコン、酸素および窒素を含む膜を挟む領域を備える。
【０１１９】例えば、タングステンを含む厚さ５０ｎｍの膜と、アルミニウムを含む厚さ４００ｎｍの膜と、チタンを含む厚さ１００ｎｍの膜と、をこの順で積層した導電膜を、導電膜５１２Ａまたは導電膜５１２Ｂに用いることができる。なお、タングステンを含む膜は、半導体膜５０８と接する領域を備える。
【０１２０】ところで、例えば、アモルファスシリコンを半導体に用いるボトムゲート型のトランジスタの製造ラインは、酸化物半導体を半導体に用いるボトムゲート型のトランジスタの製造ラインに容易に改造できる。また、例えばポリシリコンを半導体に用いるトップゲート型のトランジスタの製造ラインは、酸化物半導体を半導体に用いるトップゲート型のトランジスタの製造ラインに容易に改造できる。いずれの改造も、既存の製造ラインを有効に活用することができる。
【０１２１】これにより、チラツキを抑制することができる。または、消費電力を低減することができる。または、動きの速い動画を滑らかに表示することができる。または、豊かな階調で写真等を表示することができる。その結果、利便性または信頼性に優れた新規な表示パネルを提供することができる。
【０１２２】《半導体膜５０８の構成例３．》
例えば、化合物半導体をトランジスタの半導体膜に用いることができる。具体的には、ガリウムヒ素を含む半導体を半導体膜に用いることができる。
【０１２３】例えば、有機半導体をトランジスタの半導体膜に用いることができる。具体的には、ポリアセン類またはグラフェンを含む有機半導体を半導体膜に用いることができる。
【０１２４】《画素回路５３０（ｉ，ｊ）の構成例２．》
本発明の一態様の画素回路の別の構成について、図４Ｃを参照しながら説明する。
【０１２５】図４（Ｃ）の画素回路５３０（ｉ，ｊ）は容量素子Ｃ１２およびスイッチＳＷ１２を備える点が、図４Ｂを参照しながら説明する構成とは異なる。ここでは構成が異なる部分について詳細に説明し、同様の構成を用いることができる部分は、上記の説明を援用する。
【０１２６】《容量素子Ｃ１２の構成例》
容量素子Ｃ１２は、ノードＮ１（ｉ，ｊ）と電気的に接続される第１の端子を備える。また、容量素子Ｃ１２は、スイッチＳＷ１２と電気的に接続される第２の端子を備える。
【０１２７】《スイッチＳＷ１２の構成例》
スイッチＳＷ１２は、制御信号が供給される第１の端子を備える。また、スイッチＳＷ１２は、ノードＮ１（ｉ，ｊ）と電気的に接続される第２の端子を備える。例えば、トランジスタをスイッチＳＷ１２に用いることができる。トランジスタのソース電極およびドレイン電極の一方を第１の端子に用い、他方を第２の端子に用いることができる。
【０１２８】スイッチＳＷ１２は、スイッチＳＷ１が導通状態から非導通状態に変化するときに、導通状態である。また、スイッチＳＷ１２は、スイッチＳＷ１が非導通状態において、非導通状態から導通状態に変化する機能を備える。また、スイッチＳＷ１２は、スイッチＳＷ１が非導通状態において、導通状態から非導通状態に変化する機能を備える。
【０１２９】例えば、トランジスタを用いるスイッチＳＷ１またはスイッチＳＷ１２の導通状態は、トランジスタのゲート電極の電位を用いて制御することができる。
【０１３０】これにより、スイッチＳＷ１を用いてノードＮ１（ｉ，ｊ）の電位を、制御することができる。または、スイッチＳＷ１２を用いて、一時的にノードＮ１（ｉ，ｊ）の電位の変化を促進または強調することができる。または、ノードＮ１（ｉ，ｊ）にオフセット電圧を加えることができる。または、例えば、表示素子７５０（ｉ，ｊ）に液晶表示素子を用いる場合、所謂オーバードライブをすることができる。または、液晶表示素子の動作を速めることができる。オフセット電圧を加えたノードＮ１（ｉ，ｊ）の電位を用いて、液晶表示素子を駆動することができる。その結果、利便性または信頼性に優れた新規な表示パネルを提供することができる。
【０１３１】《機能層５２０の構成例２．》
また、機能層５２０は、絶縁膜５２１Ａ、絶縁膜５１８、絶縁膜５１６（絶縁膜５１６Ａおよび絶縁膜５１６Ｂ）、絶縁膜５０６および絶縁膜５０１Ｃ等を備える（図５Ａおよび図５Ｂ参照）。
【０１３２】絶縁膜５２１Ａは、画素回路５３０（ｉ，ｊ）および表示素子７５０（ｉ，ｊ）の間に挟まれる領域を備える。
【０１３３】絶縁膜５１８は、絶縁膜５２１Ａおよび絶縁膜５０１Ｃの間に挟まれる領域を備える。
【０１３４】絶縁膜５１６は絶縁膜５１８および絶縁膜５０１Ｃの間に挟まれる領域を備える。
【０１３５】絶縁膜５０６は絶縁膜５１６および絶縁膜５０１Ｃの間に挟まれる領域を備える。
【０１３６】［絶縁膜５２１Ａ］
例えば、絶縁性の無機材料、絶縁性の有機材料または無機材料と有機材料を含む絶縁性の複合材料を、絶縁膜５２１Ａに用いることができる。
【０１３７】具体的には、無機酸化物膜、無機窒化物膜または無機酸化窒化物膜等またはこれらから選ばれた複数を積層した積層材料を、絶縁膜５２１Ａに用いることができる。
【０１３８】例えば、酸化シリコン膜、窒化シリコン膜、酸化窒化シリコン膜、酸化アルミニウム膜等またはこれらから選ばれた複数を積層した積層材料を含む膜を、絶縁膜５２１Ａに用いることができる。なお、窒化シリコン膜は緻密な膜であり、不純物の拡散を抑制する機能に優れる。
【０１３９】例えば、ポリエステル、ポリオレフィン、ポリアミド、ポリイミド、ポリカーボネート、ポリシロキサン若しくはアクリル樹脂等またはこれらから選択された複数の樹脂の積層材料もしくは複合材料などを絶縁膜５２１Ａに用いることができる。また、感光性を有する材料を用いて形成してもよい。これにより、絶縁膜５２１Ａは、例えば、絶縁膜５２１Ａと重なるさまざまな構造に由来する段差を平坦化することができる。
【０１４０】なお、ポリイミドは熱的安定性、絶縁性、靱性、低誘電率、低熱膨張率、耐薬品性などの特性において他の有機材料に比べて優れた特性を備える。これにより、特にポリイミドを絶縁膜５２１Ａ等に好適に用いることができる。
【０１４１】例えば、感光性を有する材料を用いて形成された膜を絶縁膜５２１Ａに用いることができる。具体的には、感光性のポリイミドまたは感光性のアクリル樹脂等を用いて形成された膜を絶縁膜５２１Ａに用いることができる。
【０１４２】［絶縁膜５１８］
例えば、絶縁膜５２１Ａに用いることができる材料を絶縁膜５１８に用いることができる。
【０１４３】例えば、酸素、水素、水、アルカリ金属、アルカリ土類金属等の拡散を抑制する機能を備える材料を絶縁膜５１８に用いることができる。具体的には、窒化物絶縁膜を絶縁膜５１８に用いることができる。例えば、窒化シリコン、窒化酸化シリコン、窒化アルミニウム、窒化酸化アルミニウム等を絶縁膜５１８に用いることができる。これにより、トランジスタの半導体膜への不純物の拡散を抑制することができる。
【０１４４】［絶縁膜５１６］
例えば、絶縁膜５２１Ａに用いることができる材料を絶縁膜５１６に用いることができる。
【０１４５】具体的には、絶縁膜５１８とは作製方法が異なる膜を絶縁膜５１６に用いることができる。
【０１４６】［絶縁膜５０６］
例えば、絶縁膜５２１Ａに用いることができる材料を絶縁膜５０６に用いることができる。
【０１４７】具体的には、酸化シリコン膜、酸化窒化シリコン膜、窒化酸化シリコン膜、窒化シリコン膜、酸化アルミニウム膜、酸化ハフニウム膜、酸化イットリウム膜、酸化ジルコニウム膜、酸化ガリウム膜、酸化タンタル膜、酸化マグネシウム膜、酸化ランタン膜、酸化セリウム膜または酸化ネオジム膜を含む膜を絶縁膜５０６に用いることができる。
【０１４８】［絶縁膜５０１Ｄ］
絶縁膜５０１Ｄは、絶縁膜５０１Ｃおよび絶縁膜５１６の間に挟まれる領域を備える。
【０１４９】例えば、絶縁膜５０６に用いることができる材料を絶縁膜５０１Ｄに用いることができる。
【０１５０】［絶縁膜５０１Ｃ］
例えば、絶縁膜５２１Ａに用いることができる材料を絶縁膜５０１Ｃに用いることができる。具体的には、シリコンおよび酸素を含む材料を絶縁膜５０１Ｃに用いることができる。これにより、画素回路または表示素子等への不純物の拡散を抑制することができる。
【０１５１】＜表示パネル７００の構成例２．＞
また、表示パネル７００は、基材５１０、基材７７０および封止材７０５を備える（図５Ａおよび図６Ａ参照）。
【０１５２】《基材５１０、基材７７０》
光透過性を備える材料を、基材５１０または基材７７０に用いることができる。
【０１５３】例えば、可撓性を有する材料を基材５１０または基材７７０に用いることができる。これにより、可撓性を備える表示パネルを提供することができる。
【０１５４】厚さ０．７ｍｍ以下厚さ０．１ｍｍ以上の材料を基材５１０または基材７７０に用いることができる。具体的には、厚さ０．１ｍｍ程度まで研磨した材料を用いることができる。これにより、基材５１０または基材７７０の重量を低減することができる。
【０１５５】例えば、第６世代（１５００ｍｍ×１８５０ｍｍ）、第７世代（１８７０ｍｍ×２２００ｍｍ）、第８世代（２２００ｍｍ×２４００ｍｍ）、第９世代（２４００ｍｍ×２８００ｍｍ）、第１０世代（２９５０ｍｍ×３４００ｍｍ）等のガラス基板を基材５１０または基材７７０に用いることができる。これにより、大型の表示装置を作製することができる。
【０１５６】有機材料、無機材料または有機材料と無機材料等の複合材料等を基材５１０または基材７７０に用いることができる。
【０１５７】例えば、ガラス、セラミックス、金属等の無機材料を用いることができる。具体的には、無アルカリガラス、ソーダ石灰ガラス、カリガラス、クリスタルガラス、アルミノ珪酸ガラス、強化ガラス、化学強化ガラス、石英またはサファイア等を、基材５１０または基材７７０に用いることができる。または、アルミノ珪酸ガラス、強化ガラス、化学強化ガラスまたはサファイア等を、表示パネルの使用者に近い側に配置される基材５１０または基材７７０に好適に用いることができる。これにより、使用に伴う表示パネルの破損や傷付きを防止することができる。
【０１５８】具体的には、無機酸化物膜、無機窒化物膜または無機酸窒化物膜等を基材５１０または基材７７０に用いることができる。例えば、酸化シリコン膜、窒化シリコン膜、酸化窒化シリコン膜、酸化アルミニウム膜等を用いることができる。ステンレス・スチールまたはアルミニウム等を基材５１０または基材７７０に用いることができる。
【０１５９】例えば、シリコンや炭化シリコンからなる単結晶半導体基板、多結晶半導体基板、シリコンゲルマニウム等の化合物半導体基板、ＳＯＩ基板等を基材５１０または基材７７０に用いることができる。これにより、半導体素子を基材５１０または基材７７０に形成することができる。
【０１６０】例えば、樹脂、樹脂フィルムまたはプラスチック等の有機材料を基材５１０または基材７７０に用いることができる。具体的には、ポリエステル、ポリオレフィン、ポリアミド（ナイロン、アラミド等）、ポリイミド、ポリカーボネート、ポリウレタンまたはアクリル樹脂、エポキシ樹脂、またはシロキサン結合を有する樹脂を含む材料を基材５１０または基材７７０に用いることができる。例えば、これらの材料を含む樹脂フィルム、樹脂板または積層材料等を用いることができる。これにより、重量を低減することができる。または、例えば、落下に伴う破損等の発生頻度を低減することができる。
【０１６１】具体的には、ポリエチレンテレフタレート（ＰＥＴ）、ポリエチレンナフタレート（ＰＥＮ）、ポリエーテルサルフォン（ＰＥＳ）、シクロオレフィンポリマー（ＣＯＰ）またはシクロオレフィンコポリマー（ＣＯＣ）等を基材５１０または基材７７０に用いることができる。
【０１６２】例えば、金属板、薄板状のガラス板または無機材料等の膜と樹脂フィルム等を貼り合わせた複合材料を基材５１０または基材７７０に用いることができる。例えば、繊維状または粒子状の金属、ガラスもしくは無機材料等を樹脂に分散した複合材料を基材５１０または基材７７０に用いることができる。例えば、繊維状または粒子状の樹脂もしくは有機材料等を無機材料に分散した複合材料を基材５１０または基材７７０に用いることができる。
【０１６３】また、単層の材料または複数の層が積層された材料を、基材５１０または基材７７０に用いることができる。例えば、絶縁膜等が積層された材料を基材５１０または基材７７０に用いることができる。具体的には、酸化シリコン層、窒化シリコン層または酸化窒化シリコン層等から選ばれた一または複数の膜が積層された材料を基材５１０または基材７７０に用いることができる。これにより、例えば、基材に含まれる不純物の拡散を防ぐことができる。または、ガラスまたは樹脂に含まれる不純物の拡散を防ぐことができる。または、樹脂を透過する不純物の拡散を防ぐことができる。
【０１６４】また、紙または木材などを基材５１０または基材７７０に用いることができる。
【０１６５】例えば、作製工程中の熱処理に耐えうる程度の耐熱性を有する材料を基材５１０または基材７７０に用いることができる。具体的には、トランジスタまたは容量素子等を直接形成する作成工程中に加わる熱に耐熱性を有する材料を、基材５１０または基材７７０に用いることができる。
【０１６６】例えば、作製工程中に加わる熱に耐熱性を有する工程用基板に絶縁膜、トランジスタまたは容量素子等を形成し、形成された絶縁膜、トランジスタまたは容量素子等を、例えば、基材５１０または基材７７０に転置する方法を用いることができる。これにより、例えば、可撓性を有する基板に絶縁膜、トランジスタまたは容量素子等を形成できる。
【０１６７】《封止材７０５》
封止材７０５は、基材５１０および基材７７０の間に挟まれる領域を備え、基材５１０および基材７７０を貼り合わせる機能を備える（図６Ａ参照）。
【０１６８】無機材料、有機材料または無機材料と有機材料の複合材料等を封止材７０５に用いることができる。
【０１６９】例えば、熱溶融性の樹脂または硬化性の樹脂等の有機材料を、封止材７０５に用いることができる。
【０１７０】例えば、反応硬化型接着剤、光硬化型接着剤、熱硬化型接着剤または／および嫌気型接着剤等の有機材料を封止材７０５に用いることができる。
【０１７１】具体的には、エポキシ樹脂、アクリル樹脂、シリコーン樹脂、フェノール樹脂、ポリイミド樹脂、イミド樹脂、ＰＶＣ（ポリビニルクロライド）樹脂、ＰＶＢ（ポリビニルブチラル）樹脂、ＥＶＡ（エチレンビニルアセテート）樹脂等を含む接着剤を封止材７０５に用いることができる。
【０１７２】＜表示パネル７００の構成例３．＞
表示パネル７００は、機能膜７７０Ｐを有する（図５Ａ参照）。
【０１７３】《機能膜７７０Ｐ等》
機能膜７７０Ｐは、表示素子７５０（ｉ，ｊ）と重なる領域を備える。
【０１７４】例えば、反射防止フィルム、偏光フィルム、位相差フィルム、光拡散フィルムまたは集光フィルム等を機能膜７７０Ｐに用いることができる。
【０１７５】例えば、厚さ１μｍ以下の反射防止フィルムを、機能膜７７０Ｐに用いることができる。具体的には、誘電体を３層以上、好ましくは５層以上、より好ましくは１５層以上積層した積層膜を機能膜７７０Ｐに用いることができる。これにより、反射率を０．５％以下好ましくは０．０８％以下に抑制することができる。
【０１７６】また、ゴミの付着を抑制する帯電防止膜、汚れを付着しにくくする撥水性の膜、反射防止フィルム（アンチ・リフレクション膜）、非光沢処理膜（アンチ・グレア膜）、使用に伴う傷の発生を抑制するハードコート膜などを、機能膜７７０Ｐに用いることができる。
【０１７７】＜表示パネル７００の構成例４．＞
また、表示パネル７００は、構造体ＫＢ１を備える。
【０１７８】《構造体ＫＢ１》
構造体ＫＢ１は、機能層５２０および基材７７０の間に所定の間隙を設ける機能を備える。
【０１７９】《表示素子７５０（ｉ，ｊ）の構成例》
表示素子７５０（ｉ，ｊ）は、例えば、光の散乱または透過を制御する機能を備える。具体的には、実施の形態２で説明する液晶素子７５を表示素子７５０（ｉ，ｊ）に用いることができる。
【０１８０】表示素子７５０（ｉ，ｊ）は液晶材料を含む層７５３を備える（図５Ａ参照）。
【０１８１】これにより、光の散乱または透過を制御して、画像を表示することができる。または、表示素子７５０（ｉ，ｊ）を透過して、風景などを観察することができる。または、風景に重ねて画像を表示することができる。または、例えば、サイドライトが射出する光を散乱して、画像を表示することができる。
【０１８２】《表示素子７５０（ｉ，ｊ）の構成例２．》
表示素子７５０（ｉ，ｊ）は、電極７５１（ｉ，ｊ）、電極７５２および液晶材料を含む層７５３を備える。
【０１８３】電極７５１（ｉ，ｊ）は、開口部５９１Ａにおいて画素回路５３０（ｉ，ｊ）と電気的に接続される。
【０１８４】電極７５２は、液晶材料の配向を制御する電界を、電極７５１（ｉ，ｊ）との間に形成するように配設される。
【０１８５】表示素子７５０（ｉ，ｊ）は、配向膜ＡＦ１および配向膜ＡＦ２を備える。
【０１８６】《液晶材料を含む層７５３》
液晶材料を含む層７５３は、配向膜ＡＦ１および配向膜ＡＦ２に挟まれる領域を備える。
【０１８７】例えば、１．０×１０１３Ω・ｃｍ以上、好ましくは１．０×１０１４Ω・ｃｍ以上、さらに好ましくは１．０×１０１５Ω・ｃｍ以上の固有抵抗率を備える液晶材料を、液晶材料を含む層７５３に用いることができる。これにより、表示素子７５０（ｉ，ｊ）の透過率の変動を抑制することができる。または、表示素子７５０（ｉ，ｊ）のチラツキを抑制することができる。または、表示素子７５０（ｉ，ｊ）を書き換える頻度を低減することができる。
【０１８８】なお、本実施の形態は、本明細書で示す他の実施の形態と適宜組み合わせることができる。
【０１８９】（実施の形態４）
本実施の形態では、本発明の一態様の表示パネルの構成について、図６および図７を参照しながら説明する。
【０１９０】図７は、本発明の一態様の表示パネルの構成を説明するブロック図である。
【０１９１】＜表示パネルの構成例４．＞
本実施の形態で説明する表示パネル７００は、表示領域２３１を有する（図７参照）。
【０１９２】《表示領域２３１の構成例１．》
表示領域２３１は、一群の画素７０２（ｉ，１）乃至画素７０２（ｉ，ｎ）と、他の一群の画素７０２（１，ｊ）乃至画素７０２（ｍ，ｊ）と、走査線Ｇ１（ｉ）と、信号線Ｓ１（ｊ）と、を有する（図７参照）。なお、ｉは１以上ｍ以下の整数であり、ｊは１以上ｎ以下の整数であり、ｍおよびｎは１以上の整数である。
【０１９３】また、図示しないが、表示領域２３１は、導電膜ＶＣＯＭ１を有する。
【０１９４】一群の画素７０２（ｉ，１）乃至画素７０２（ｉ，ｎ）は行方向（図中に矢印Ｒ１で示す方向）に配設され、一群の画素７０２（ｉ，１）乃至画素７０２（ｉ，ｎ）は画素７０２（ｉ，ｊ）を含む。
【０１９５】他の一群の画素７０２（１，ｊ）乃至画素７０２（ｍ，ｊ）は行方向と交差する列方向（図中に矢印Ｃ１で示す方向）に配設され、他の一群の画素７０２（１，ｊ）乃至画素７０２（ｍ，ｊ）は画素７０２（ｉ，ｊ）を含む。
【０１９６】走査線Ｇ１（ｉ）は、行方向に配設される一群の画素７０２（ｉ，１）乃至画素７０２（ｉ，ｎ）と電気的に接続される。
【０１９７】信号線Ｓ１（ｊ）は、列方向に配設される他の一群の画素７０２（１，ｊ）乃至画素７０２（ｍ，ｊ）と電気的に接続される。
【０１９８】これにより、複数の画素に画像情報を供給することができる。その結果、利便性または信頼性に優れた新規な表示パネルを提供することができる。
【０１９９】＜表示パネルの構成例５．＞
本実施の形態で説明する表示パネル７００は、単数または複数の駆動回路を備える。例えば、駆動回路ＧＤＡ、駆動回路ＧＤＢ、および駆動回路ＳＤを備えることができる（図７参照）。
【０２００】《駆動回路ＧＤＡ、駆動回路ＧＤＢ》
駆動回路ＧＤＡおよび駆動回路ＧＤＢを駆動回路ＧＤに用いることができる。例えば、駆動回路ＧＤＡおよび駆動回路ＧＤＢは、制御情報に基づいて選択信号を供給する機能を有する。
【０２０１】具体的には、制御情報に基づいて、３０Ｈｚ以上、好ましくは６０Ｈｚ以上の頻度で、選択信号を一の走査線に供給する機能を備える。これにより、動画像をなめらかに表示することができる。
【０２０２】または、制御情報に基づいて、３０Ｈｚ未満、好ましくは１Ｈｚ未満、より好ましくは一分に一回未満の頻度で選択信号を一の走査線に供給する機能を備える。これにより、フリッカーが抑制された静止画像を表示することができる。
【０２０３】複数の駆動回路を備える場合、例えば、駆動回路ＧＤＡが選択信号を供給する頻度と、駆動回路ＧＤＢが選択信号を供給する頻度とを、異ならせることができる。具体的には、静止画像を表示する一の領域に選択信号を供給する頻度より高い頻度で、動画像を表示する他の領域に選択信号を供給することができる。これにより、一の領域にフリッカーが抑制された静止画像を表示し、他の領域に滑らかに動画像を表示することができる。
【０２０４】ところで、フレーム周波数を可変にすることができる。または、例えば、１Ｈｚ以上１２０Ｈｚ以下のフレーム周波数で表示をすることができる。または、プログレッシブ方式を用いて、１２０Ｈｚのフレーム周波数で表示をすることができる。
【０２０５】例えば、ボトムゲート型のトランジスタまたはトップゲート型のトランジスタなどを、駆動回路ＧＤに用いることができる。具体的には、トランジスタＭＧ１を駆動回路ＧＤに用いることができる（図６Ａおよび図６Ｂ参照）。
【０２０６】なお、例えば、駆動回路ＧＤのトランジスタに用いる半導体膜を、画素回路５３０（ｉ，ｊ）のトランジスタに用いる半導体膜を形成する工程で形成することができる。
【０２０７】《駆動回路ＳＤ》
駆動回路ＳＤは、情報Ｖ１１に基づいて画像信号を生成する機能と、当該画像信号を一の表示素子と電気的に接続される画素回路に供給する機能を備える（図７参照）。
【０２０８】例えば、シフトレジスタ等のさまざまな順序回路等を駆動回路ＳＤに用いることができる。
【０２０９】例えば、シリコン基板上に形成された集積回路を駆動回路ＳＤに用いることができる。
【０２１０】例えば、ＣＯＧ（Ｃｈｉｐ  ｏｎ  ｇｌａｓｓ）法またはＣＯＦ（Ｃｈｉｐ  ｏｎ  Ｆｉｌｍ）法を用いて、集積回路を端子に接続することができる。具体的には、異方性導電膜を用いて、集積回路を端子に接続することができる。
【０２１１】なお、本実施の形態は、本明細書で示す他の実施の形態と適宜組み合わせることができる。
【０２１２】（実施の形態５）
本実施の形態では、本発明の一態様の表示装置の構成について、図８を参照しながら説明する。
【０２１３】図８は本発明の一態様の表示装置の構成を説明する図である。図８Ａは本発明の一態様の表示装置のブロック図であり、図８Ｂ１乃至図８Ｂ３は本発明の一態様の表示装置の外観を説明する投影図である。
【０２１４】＜表示装置の構成例＞
本実施の形態で説明する表示装置は、制御部２３８と、表示パネル７００とを有する（図８Ａ参照）。
【０２１５】《制御部２３８の構成例》
制御部２３８は、画像情報Ｖ１および制御情報ＣＩが供給される。例えば、クロック信号またはタイミング信号などを制御情報ＣＩに用いることができる。
【０２１６】制御部２３８は画像情報Ｖ１に基づいて情報Ｖ１１を生成し、制御情報ＣＩにもとづいて制御信号ＳＰを生成する。また、制御部２３８は情報Ｖ１１および制御信号ＳＰを供給する。
【０２１７】例えば、情報Ｖ１１は、８ｂｉｔ以上好ましくは１２ｂｉｔ以上の階調を含む。また、例えば、駆動回路に用いるシフトレジスタのクロック信号またはスタートパルスなどを、制御信号ＳＰに用いることができる。
【０２１８】具体的には、制御部２３８は、伸張回路２３４および画像処理回路２３５を備える。
【０２１９】《伸張回路２３４》
伸張回路２３４は、圧縮された状態で供給される画像情報Ｖ１を伸張する機能を備える。伸張回路２３４は、記憶部を備える。記憶部は、例えば伸張された画像情報を記憶する機能を備える。
【０２２０】《画像処理回路２３５》
画像処理回路２３５は、例えば、記憶領域を備える。記憶領域は、例えば、画像情報Ｖ１に含まれる情報を記憶する機能を備える。
【０２２１】画像処理回路２３５は、例えば、所定の特性曲線に基づいて画像情報Ｖ１を補正して情報Ｖ１１を生成する機能と、情報Ｖ１１を供給する機能を備える。
【０２２２】《表示パネルの構成例》
表示パネル７００は情報Ｖ１１および制御信号ＳＰが供給される。また、表示パネル７００は駆動回路ＧＤを備える。例えば、実施の形態３において説明する表示パネル７００を用いることができる。
【０２２３】また、例えば、制御回路２３３を表示パネル７００に用いることができる。駆動回路ＧＤを表示パネル７００に用いることができる。
【０２２４】《制御回路２３３》
制御回路２３３は制御信号ＳＰを生成し、供給する機能を備える。例えば、クロック信号またはタイミング信号などを制御信号ＳＰに用いることができる。具体的には、タイミングコントローラを制御回路２３３に用いることができる。
【０２２５】例えば、リジッド基板上に形成された制御回路２３３を表示パネル７００に用いることができる。また、フレキシブルプリント基板を用いて、リジッド基板上に形成された制御回路２３３と制御部２３８を、電気的に接続することができる。
【０２２６】《駆動回路ＧＤ》
駆動回路ＧＤは制御信号ＳＰに基づいて動作する。
【０２２７】例えば、駆動回路ＧＤＡ（１）、駆動回路ＧＤＡ（２）駆動回路ＧＤＢ（１）、駆動回路ＧＤＢ（２）は、制御信号ＳＰが供給され、選択信号を供給する機能を備える。
【０２２８】例えば、駆動回路ＳＤＡ（１）、駆動回路ＳＤＡ（２）、駆動回路ＳＤＢ（１）、駆動回路ＳＤＢ（２）、駆動回路ＳＤＣ（１）および駆動回路ＳＤＣ（２）は、制御信号ＳＰおよび情報Ｖ１１が供給され、画像信号を供給することができる。
【０２２９】制御信号ＳＰを用いることにより、複数の駆動回路の動作を同期することができる。
【０２３０】《画素７０２（ｉ，ｊ）の構成例》
画素７０２（ｉ，ｊ）は、情報Ｖ１１に基づいて表示する。
【０２３１】これにより、表示素子を用いて画像情報を表示することができる。その結果、利便性または信頼性に優れた新規な表示装置を提供することができる。または、例えば、テレビジョン受像システム（図８Ｂ１参照）、映像モニター（図８Ｂ２参照）またはノートブックコンピュータ（図８Ｂ３参照）などを提供することができる。
【０２３２】なお、本実施の形態は、本明細書で示す他の実施の形態と適宜組み合わせることができる。
【０２３３】（実施の形態６）
本実施の形態では、本発明の一態様の情報処理装置の構成について、図９および図１０を参照しながら説明する。
【０２３４】図９および図１０は、本発明の一態様の情報処理装置の構成を説明する図である。図９Ａは情報処理装置のブロック図であり、図９Ｂ乃至図９Ｄは情報処理装置の構成を説明する斜視図である。また、図１０Ａおよび図１０Ｂは情報処理装置の構成を説明する斜視図である。
【０２３５】＜情報処理装置＞
本実施の形態で説明する情報処理装置５２００Ｂは、演算装置５２１０と、入出力装置５２２０と、を有する（図９Ａ参照）。
【０２３６】演算装置５２１０は、操作情報を供給される機能を備え、操作情報に基づいて画像情報を供給する機能を備える。
【０２３７】入出力装置５２２０は、表示部５２３０、入力部５２４０、検知部５２５０、通信部５２９０、操作情報を供給する機能および画像情報を供給される機能を備える。また、入出力装置５２２０は、検知情報を供給する機能、通信情報を供給する機能および通信情報を供給される機能を備える。
【０２３８】入力部５２４０は操作情報を供給する機能を備える。例えば、入力部５２４０は、情報処理装置５２００Ｂの使用者の操作に基づいて操作情報を供給する。
【０２３９】具体的には、キーボード、ハードウェアボタン、ポインティングデバイス、タッチセンサ、照度センサ、撮像装置、音声入力装置、視線入力装置、姿勢検出装置などを、入力部５２４０に用いることができる。
【０２４０】表示部５２３０は表示パネルおよび画像情報を表示する機能を備える。例えば、実施の形態１において説明する表示パネルを表示部５２３０に用いることができる。
【０２４１】検知部５２５０は検知情報を供給する機能を備える。例えば、情報処理装置が使用されている周辺の環境を検知して、検知情報として供給する機能を備える。
【０２４２】具体的には、照度センサ、撮像装置、姿勢検出装置、圧力センサ、人感センサなどを検知部５２５０に用いることができる。
【０２４３】通信部５２９０は通信情報を供給される機能および供給する機能を備える。例えば、無線通信または有線通信により、他の電子機器または通信網と接続する機能を備える。具体的には、無線構内通信、電話通信、近距離無線通信などの機能を備える。
【０２４４】《情報処理装置の構成例１．》
例えば、円筒状の柱などに沿った外形を表示部５２３０に適用することができる（図９Ｂ参照）。また、使用環境の照度に応じて、表示方法を変更する機能を備える。また、人の存在を検知して、表示内容を変更する機能を備える。これにより、例えば、建物の柱に設置することができる。または、広告または案内等を表示することができる。または、デジタル・サイネージ等に用いることができる。
【０２４５】《情報処理装置の構成例２．》
例えば、使用者が使用するポインタの軌跡に基づいて画像情報を生成する機能を備える（図９Ｃ参照）。具体的には、対角線の長さが２０インチ以上、好ましくは４０インチ以上、より好ましくは５５インチ以上の表示パネルを用いることができる。または、複数の表示パネルを並べて１つの表示領域に用いることができる。または、複数の表示パネルを並べてマルチスクリーンに用いることができる。これにより、例えば、電子黒板、電子掲示板、電子看板等に用いることができる。
【０２４６】《情報処理装置の構成例３．》
他の装置から情報を受信して、表示部５２３０に表示することができる（図９Ｄ参照）。または、いくつかの選択肢を表示できる。または、使用者は選択肢からいくつかを選択し、当該情報の送信元に返信できる。または、例えば、使用環境の照度に応じて、表示方法を変更する機能を備える。これにより、例えば、スマートウオッチの消費電力を低減することができる。または、例えば、晴天の屋外等の外光の強い環境においても好適に使用できるように、画像をスマートウオッチに表示することができる。
【０２４７】《情報処理装置の構成例４．》
情報処理装置は、例えば、加速度または方位を検知する検知部５２５０を備える（図１０Ａ参照）。または、検知部５２５０は、使用者の位置または使用者が向いている方向に係る情報を供給することができる。または、情報処理装置は、使用者の位置または使用者が向いている方向に基づいて、右目用の画像情報および左目用の画像情報を生成することができる。または、表示部５２３０は、右目用の表示領域および左目用の表示領域を備える。これにより、例えば、没入感を得られる仮想現実空間の映像を、ゴーグル型の情報処理装置に表示することができる。
【０２４８】《情報処理装置の構成例５．》
情報処理装置は、例えば、撮像装置、加速度または方位を検知する検知部５２５０を備える（図１０Ｂ参照）。または、検知部５２５０は、使用者の位置または使用者が向いている方向に係る情報を供給することができる。または、情報処理装置は、使用者の位置または使用者が向いている方向に基づいて、画像情報を生成することができる。これにより、例えば、現実の風景に情報を添付して表示することができる。または、拡張現実空間の映像を、めがね型の情報処理装置に表示することができる。
【０２４９】なお、本実施の形態は、本明細書で示す他の実施の形態と適宜組み合わせることができる。
【０２５０】例えば、本明細書等において、ＸとＹとが接続されている、と明示的に記載されている場合は、ＸとＹとが電気的に接続されている場合と、ＸとＹとが機能的に接続されている場合と、ＸとＹとが直接接続されている場合とが、本明細書等に開示されているものとする。したがって、所定の接続関係、例えば、図または文章に示された接続関係に限定されず、図または文章に示された接続関係以外のものも、図または文章に開示されているものとする。
【０２５１】ここで、Ｘ、Ｙは、対象物（例えば、装置、素子、回路、配線、電極、端子、導電膜、層、など）であるとする。
【０２５２】ＸとＹとが直接的に接続されている場合の一例としては、ＸとＹとの電気的な接続を可能とする素子（例えば、スイッチ、トランジスタ、容量素子、インダクタ、抵抗素子、ダイオード、表示素子、発光素子、負荷など）が、ＸとＹとの間に接続されていない場合であり、ＸとＹとの電気的な接続を可能とする素子（例えば、スイッチ、トランジスタ、容量素子、インダクタ、抵抗素子、ダイオード、表示素子、発光素子、負荷など）を介さずに、ＸとＹとが、接続されている場合である。
【０２５３】ＸとＹとが電気的に接続されている場合の一例としては、ＸとＹとの電気的な接続を可能とする素子（例えば、スイッチ、トランジスタ、容量素子、インダクタ、抵抗素子、ダイオード、表示素子、発光素子、負荷など）が、ＸとＹとの間に１個以上接続されることが可能である。なお、スイッチは、オンオフが制御される機能を有している。つまり、スイッチは、導通状態（オン状態）、または、非導通状態（オフ状態）になり、電流を流すか流さないかを制御する機能を有している。または、スイッチは、電流を流す経路を選択して切り替える機能を有している。なお、ＸとＹとが電気的に接続されている場合は、ＸとＹとが直接的に接続されている場合を含むものとする。
【０２５４】ＸとＹとが機能的に接続されている場合の一例としては、ＸとＹとの機能的な接続を可能とする回路（例えば、論理回路（インバータ、ＮＡＮＤ回路、ＮＯＲ回路など）、信号変換回路（ＤＡ変換回路、ＡＤ変換回路、ガンマ補正回路など）、電位レベル変換回路（電源回路（昇圧回路、降圧回路など）、信号の電位レベルを変えるレベルシフタ回路など）、電圧源、電流源、切り替え回路、増幅回路（信号振幅または電流量などを大きく出来る回路、オペアンプ、差動増幅回路、ソースフォロワ回路、バッファ回路など）、信号生成回路、記憶回路、制御回路など）が、ＸとＹとの間に１個以上接続されることが可能である。なお、一例として、ＸとＹとの間に別の回路を挟んでいても、Ｘから出力された信号がＹへ伝達される場合は、ＸとＹとは機能的に接続されているものとする。なお、ＸとＹとが機能的に接続されている場合は、ＸとＹとが直接的に接続されている場合と、ＸとＹとが電気的に接続されている場合とを含むものとする。
【０２５５】なお、ＸとＹとが電気的に接続されている、と明示的に記載されている場合は、ＸとＹとが電気的に接続されている場合（つまり、ＸとＹとの間に別の素子又は別の回路を挟んで接続されている場合）と、ＸとＹとが機能的に接続されている場合（つまり、ＸとＹとの間に別の回路を挟んで機能的に接続されている場合）と、ＸとＹとが直接接続されている場合（つまり、ＸとＹとの間に別の素子又は別の回路を挟まずに接続されている場合）とが、本明細書等に開示されているものとする。つまり、電気的に接続されている、と明示的に記載されている場合は、単に、接続されている、とのみ明示的に記載されている場合と同様な内容が、本明細書等に開示されているものとする。
【０２５６】なお、例えば、トランジスタのソース（又は第１の端子など）が、Ｚ１を介して（又は介さず）、Ｘと電気的に接続され、トランジスタのドレイン（又は第２の端子など）が、Ｚ２を介して（又は介さず）、Ｙと電気的に接続されている場合や、トランジスタのソース（又は第１の端子など）が、Ｚ１の一部と直接的に接続され、Ｚ１の別の一部がＸと直接的に接続され、トランジスタのドレイン（又は第２の端子など）が、Ｚ２の一部と直接的に接続され、Ｚ２の別の一部がＹと直接的に接続されている場合では、以下のように表現することが出来る。
【０２５７】例えば、「ＸとＹとトランジスタのソース（又は第１の端子など）とドレイン（又は第２の端子など）とは、互いに電気的に接続されており、Ｘ、トランジスタのソース（又は第１の端子など）、トランジスタのドレイン（又は第２の端子など）、Ｙの順序で電気的に接続されている。」と表現することができる。または、「トランジスタのソース（又は第１の端子など）は、Ｘと電気的に接続され、トランジスタのドレイン（又は第２の端子など）はＹと電気的に接続され、Ｘ、トランジスタのソース（又は第１の端子など）、トランジスタのドレイン（又は第２の端子など）、Ｙは、この順序で電気的に接続されている」と表現することができる。または、「Ｘは、トランジスタのソース（又は第１の端子など）とドレイン（又は第２の端子など）とを介して、Ｙと電気的に接続され、Ｘ、トランジスタのソース（又は第１の端子など）、トランジスタのドレイン（又は第２の端子など）、Ｙは、この接続順序で設けられている」と表現することができる。これらの例と同様な表現方法を用いて、回路構成における接続の順序について規定することにより、トランジスタのソース（又は第１の端子など）と、ドレイン（又は第２の端子など）とを、区別して、技術的範囲を決定することができる。
【０２５８】または、別の表現方法として、例えば、「トランジスタのソース（又は第１の端子など）は、少なくとも第１の接続経路を介して、Ｘと電気的に接続され、前記第１の接続経路は、第２の接続経路を有しておらず、前記第２の接続経路は、トランジスタを介した、トランジスタのソース（又は第１の端子など）とトランジスタのドレイン（又は第２の端子など）との間の経路であり、前記第１の接続経路は、Ｚ１を介した経路であり、トランジスタのドレイン（又は第２の端子など）は、少なくとも第３の接続経路を介して、Ｙと電気的に接続され、前記第３の接続経路は、前記第２の接続経路を有しておらず、前記第３の接続経路は、Ｚ２を介した経路である。」と表現することができる。または、「トランジスタのソース（又は第１の端子など）は、少なくとも第１の接続経路によって、Ｚ１を介して、Ｘと電気的に接続され、前記第１の接続経路は、第２の接続経路を有しておらず、前記第２の接続経路は、トランジスタを介した接続経路を有し、トランジスタのドレイン（又は第２の端子など）は、少なくとも第３の接続経路によって、Ｚ２を介して、Ｙと電気的に接続され、前記第３の接続経路は、前記第２の接続経路を有していない。」と表現することができる。または、「トランジスタのソース（又は第１の端子など）は、少なくとも第１の電気的パスによって、Ｚ１を介して、Ｘと電気的に接続され、前記第１の電気的パスは、第２の電気的パスを有しておらず、前記第２の電気的パスは、トランジスタのソース（又は第１の端子など）からトランジスタのドレイン（又は第２の端子など）への電気的パスであり、トランジスタのドレイン（又は第２の端子など）は、少なくとも第３の電気的パスによって、Ｚ２を介して、Ｙと電気的に接続され、前記第３の電気的パスは、第４の電気的パスを有しておらず、前記第４の電気的パスは、トランジスタのドレイン（又は第２の端子など）からトランジスタのソース（又は第１の端子など）への電気的パスである。」と表現することができる。これらの例と同様な表現方法を用いて、回路構成における接続経路について規定することにより、トランジスタのソース（又は第１の端子など）と、ドレイン（又は第２の端子など）とを、区別して、技術的範囲を決定することができる。
【０２５９】なお、これらの表現方法は、一例であり、これらの表現方法に限定されない。ここで、Ｘ、Ｙ、Ｚ１、Ｚ２は、対象物（例えば、装置、素子、回路、配線、電極、端子、導電膜、層、など）であるとする。
【０２６０】なお、回路図上は独立している構成要素同士が電気的に接続しているように図示されている場合であっても、１つの構成要素が、複数の構成要素の機能を併せ持っている場合もある。例えば配線の一部が電極としても機能する場合は、一の導電膜が、配線の機能、及び電極の機能の両方の構成要素の機能を併せ持っている。したがって、本明細書における電気的に接続とは、このような、一の導電膜が、複数の構成要素の機能を併せ持っている場合も、その範疇に含める。
【符号の説明】
【０２６１】ＡＦ１：配向膜、ＡＦ２：配向膜、Ｃ１１：容量素子、Ｃ１２：容量素子、ＣＩ：制御情報、Ｇ１：走査線、ＫＢ１：構造体、Ｓ１：信号線、ＳＷ１：スイッチ、ＳＷ１２：スイッチ、Ｖ１：画像情報、Ｖ１１：情報、ＶＣＯＭ１：導電膜、５１：電極、５２：電極、５３：液晶材料を含む層、７５：液晶素子、２３１：表示領域、２３１Ａ：表示領域、２３１Ｂ：表示領域、２３９Ａ：余白領域、２３９Ｂ：余白領域、２３３：制御回路、２３４：伸張回路、２３５：画像処理回路、２３８：制御部、５０１Ｃ：絶縁膜、５０１Ｄ：絶縁膜、５０４：導電膜、５０６：絶縁膜、５０８：半導体膜、５０８Ａ：領域、５０８Ｂ：領域、５０８Ｃ：領域、５１０：基材、５１２Ａ：導電膜、５１２Ｂ：導電膜、５１６：絶縁膜、５１８：絶縁膜、５２０：機能層、５２１：絶縁膜、５２４：導電膜、５３０：画素回路、５９１Ａ：開口部、７００：表示パネル、７０２：画素、７０５：封止材、７５０：表示素子、７５１：電極、７５２：電極、７５３：液晶材料を含む層、７７０：基材、７７０Ｐ：機能膜、５２００Ｂ：情報処理装置、５２１０：演算装置、５２２０：入出力装置、５２３０：表示部、５２４０：入力部、５２５０：検知部、５２９０：通信部
【図１Ａ】
2020039292.tif 000009
【図１Ｂ】
2020039292.tif 000010
【図１Ｃ】
2020039292.tif 000011
【図１Ｄ】
2020039292.tif 000012
【図２Ａ】
2020039292.tif 000013
【図２Ｂ】
2020039292.tif 000014
【図３Ａ】
2020039292.tif 000015
【図３Ｂ】
2020039292.tif 000016
【図４Ａ】
2020039292.tif 000017
【図４Ｂ】
2020039292.tif 000018
【図４Ｃ】
2020039292.tif 000019
【図５Ａ】
2020039292.tif 000020
【図５Ｂ】
2020039292.tif 000021
【図６Ａ】
2020039292.tif 000022
【図６Ｂ】
2020039292.tif 000023
【図７】
2020039292.tif 000024
【図８Ａ】
2020039292.tif 000025
【図８Ｂ１】
2020039292.tif 000026
【図８Ｂ２】
2020039292.tif 000027
【図８Ｂ３】
2020039292.tif 000028
【図９Ａ】
2020039292.tif 000029
【図９Ｂ】
2020039292.tif 000030
【図９Ｃ】
2020039292.tif 000031
【図９Ｄ】
2020039292.tif 000032
【図１０Ａ】
2020039292.tif 000033
【図１０Ｂ】
2020039292.tif 000034
【国際調査報告】
2020039292.tif 000035
2020039292.tif 000036
2020039292.tif 000037
2020039292.tif 000038